(57)【要約】【課題】  電力料金メニューが正しく設定されているか簡易的に確認することが可能な電力量計を提供することを目的とする。【解決手段】伝送される電力料金メニューのチェックコードを外部機器１５０の表示部１５２に表示させるとともに、受信された電力料金メニューのチェックコードを電力量計本体１００側で算出し表示部１０７に表示させることにより、操作者が両者に表示されたチェックコードの合致を確認できるようにした。【選択図】  図１
2009156811.tif 000002
【特許請求の範囲】
【請求項１】
外部機器から伝送される電力料金区分データを受信する受信手段と、
前記受信手段によって受信された電力料金区分データのチェックコードを算出する算出手段と、
前記算出手段により算出されたチェックコードを表示する表示手段と
を具備したことを特徴とする電力量計。
【請求項２】
外部機器から伝送される電力料金区分データならびに確認コードを受信する受信手段と、前記受信手段によって受信された電力料金区分データのチェックコードを算出する算出手段と、
前記受信手段により受信された確認コードと前記算出手段により算出されたチェックコードとが一致するかの判断を行う判断手段と、
前記判断手段により前記確認コードと前記チェックコードとが一致すると判断された場合に、前記受信手段による受信動作が成功した旨の表示を行う表示手段と
を具備したことを特徴とする電力量計。
【発明の詳細な説明】
【技術分野】
【０００１】
本発明は被測定系の使用電力量等を測定する電力量計に関する。
【背景技術】
【０００２】
従来より、一般家庭や工場、事業所の使用電力量を測定する電力量計が普及してきてい
る。当該電力量計は被測定系の使用電力量を測定する使用量検出手段と、使用量検出手段
で検出した使用量をデータに編集する制御部と、制御部にて編集されたデータを表示する表示部とを具備している。（例えば特許文献１）
【特許文献１】特開２００４−２２６０９４公報（第１０頁、図２）
【発明の開示】
【発明が解決しようとする課題】
【０００３】
近年、各需要家において使用される電化製品は様々であり、電力の使用量は増大する傾向にある。また、電力の市場開放、いわゆる電力自由化により需要家は電力供給会社を選択できるようになった。そこで各電力供給会社は、需要家に有利なさまざまな電力料金メニューを準備するようになった。当該電力料金メニューは各日の各時間ごとに電力料金を別料金としており大変複雑なものとなっている。当該電力料金メニューに沿って電力量が計量されるため、電力量計にはあらかじめ、電力料金メニューが設定されていることが必要とされる。当該電力料金メニューは複雑であり、電力量計に正確に設定されていることを確認することが必要とされている。しかしながら従来の電力量計は、簡易的に確認する手段を有していなかったため、当該電力料金メニューが正確に設定されていることの確認を行うにあたり多大な労力を要していた。
【０００４】
本発明は前記問題点に鑑み、電力料金メニューが正しく設定されていることを簡易的に確認することが可能な電力量計を提供することを目的とする。
【課題を解決するための手段】
【０００５】
上記目的を達成するために、本発明による電力量計は、外部機器から伝送される電力料金区分データを受信する受信手段と、前記受信手段によって受信された電力料金区分データのチェックコードを算出する算出手段と、前記算出手段により算出されたチェックコードを表示する表示手段とを具備したことを特徴とする。
【発明の効果】
【０００６】
本発明によれば、電力料金メニューが正しく設定されていることを簡易的に確認することが可能な電力量計を提供することができる。
【発明を実施するための最良の形態】
【０００７】
以下、本発明の実施例を説明する。
【実施例１】
【０００８】
本発明による電力量計の実施例１に関し図１を参照して説明する。図１は本発明による電力量計の実施例１の内部構成を示す内部構成図である。
【０００９】
なお、図２に示すように、電力量計１００は、電力量計１００本体の工場出荷時や、需要家に設置される際に、外部のハンディターミナル等の外部設定器１５０により電力料金メニューが設定される。また、当該電力料金メニューは、外部設定器により変更されることも可能である。
【００１０】
図１において、１００は電力量計本体である。
【００１１】
１０１は端子部で、真鋳や銅等の導電性のある金属からなる導電部分が、フェノール樹脂やＰＢＴ樹脂等、絶縁性の高いプラスチック等の材質からなる固定部分に配置された構成からなり、外部からの配電線が接続される。１Ｓ、２Ｓ、３Ｓ各端子は電力供給会社から電力を受電する電源側配電線に、１Ｌ、２Ｌ、３Ｌ各端子は需要家内へ電力を供給する負荷側
配電線に接続される。なお、本実施例には単相３線式の電子式電力量計が示されている。
【００１２】
１０２ａ、１０２ｂは電流検出部で、電流トランスとアナログ−デジタル変換器を組合せた回路等により構成されており、電流検出部１０２ａは端子部１０１の端子１Ｓ−１Ｌ間の電流（１側電流）を、電流検出部１０２ｂは端子３Ｓ−３Ｌ間の電流(３側電流)を、それぞれ検出し需要家の使用電流に正比例したデジタルデータに変換し出力する。
【００１３】
１０３は電圧検出部で、電圧トランスとアナログ−デジタル変換器を組合せた回路等により構成されており、端子１Ｓ−２Ｓ間ならびに端子３Ｓ−２Ｓ間の電圧（それぞれ１側電圧、３側電圧と呼ぶ）を検出し、使用電圧に正比例したデジタルデータに変換し出力する
。
【００１４】
１０４は電力乗算部で、デジタル乗算回路等により構成されており、電流検出部１０２ａにより出力された１側電流に正比例したデジタルデータ信号と電圧検出部１０３により出力された１側電圧に正比例したデジタルデータ、電流検出部１０２ｂにより出力された３側電流に正比例したデジタルデータと電圧検出部１０３により出力された３側電圧に正比例したデジタルデータを乗算し、需要家の使用電力に正比例したデジタルデータに変換し出力する。
【００１５】
１０５は記憶部でＲＡＭのような半導体メモリにより構成されており、電力料金メニューに沿った需要家の各時間帯毎の電力使用量データならびに、電力料金メニュー等のデータを記憶する。
【００１６】
１０６はタイマ部で、水晶発振回路を有する計数回路等により構成されており、年月日時分秒を計数する。
【００１７】
１０７は表示部で液晶表示器等により構成されており、電力料金メニューに沿った需要家の各時間帯毎の電力使用量データならびに、電力料金メニュー等のデータを表示する。
【００１８】
１０８は通信部で無線電波送受信回路や赤外通信回路等により構成されており、ハンディ
ターミナル等の外部機器１５０と、電力料金メニューに沿った需要家の各時間帯毎の電力使用量データならびに、電力料金メニュー等のデータ通信を行う。
【００１９】
１０９は制御部でマイクロコンピュータ等により構成されており、電力演算部１０４から出力される需要家の使用電力に正比例したデジタルデータを電力料金メニューに沿った各時間帯毎の電力使用量データとして編集し、記憶部１０５への記憶、表示部１０７への表示、通信部１０８の伝送等の各動作を制御する。
【００２０】
なお、参考までにハンディターミナル等の外部機器１５０の内部構成を図３を参照して説明する。
【００２１】
１５０は電波送受信機能を持つ外部機器でハンディターミナル等がこれにあたる。
【００２２】
１５１は操作部でキーボードスイッチ等により構成されており、外部機器１５０への電力料金メニュー入力時等に操作者により外部から操作される。
【００２３】
１５２は表示部で液晶表示器等により構成されており、操作者により入力された電力料金メニューや、電力量計本体１００から送信された需要家の電力使用量データや、電力料金メニュー等のデータを表示する。
【００２４】
１５３は記憶部でＲＡＭのような半導体メモリにより構成されており、操作者により入力された電力料金メニューや、電力量計本体１００から送信された需要家の電力使用量データや、電力料金メニュー等のデータを記憶する。
【００２５】
１５４は通信部で無線電波送受信回路や赤外通信回路等により構成されており、電力量計
本体１００に対し、電力料金メニューを送信し、電力量計本体１００から需要家の電力使用量データや、電力料金メニュー等のデータを受信する。
【００２６】
１５５は制御部でマイクロコンピュータ等により構成されており、操作部１５１から入力された電力料金メニューを表示部１５２に表示させるとともに通信部１５４を介し電力量計本体１００に対し送信するよう制御する。また、電力量計本体１００から需要家の電力使用量データや、電力料金メニュー等のデータを受信し表示部１５２に表示させるとともに記憶部１５３に記憶させるように制御する。
【００２７】
図４、図５に電力料金メニューの例を示す。当該電力料金メニューは外部機器１５０に入力され、通信にて電力量計本体１００に設定される。電力料金メニューは図４に示す基本パターンと図５に示す日別パターンとからなる。基本パターンは１日の各時間帯が時間帯１から時間帯１０のどの時間帯で計量されるかを取り決めたパターンで例えばＡからＪの１０パターンあるものとする。なお、電力料金は時間帯１から順に高額になるものとする。例えばパターンＪの０：００から２：００は時間帯６で、２：００から４：００は時間帯５で計量することを意味している。また日別パターンは各日毎にパターンＡからＪのどのパターンで計量するかを取り決めたパターンで例えば日曜日はパターンＡ、土曜日はパターンＢ等に設定される。また夏季は電力料金が高額になる基本パターンが採用され、冬季は電力料金が低額になる基本パターンが採用される。
【００２８】
また、図４における基本パターンのチェックコードとは外部機器１５０にて計算された確認用のコードである。当該チェックコードは各基本パターンのサムアップであり、例えば基本パターンＡのサムアップは１０進法で０４０である。
【００２９】
また、図５における日別パターンのチェックコードとは外部機器１５０にて計算された確認用のコードである。当該チェックコードは各日別パターンのサムアップであり、例えば１月の日別パターンのサムアップの下二桁は１６進法で２８である。
【００３０】
これらの基本パターンならびに日別パターンのチェックコードは、電力量計本体１００に電力料金メニューが伝送される際に基本パターンならびに日別パターンに付されて伝送される。
【００３１】
次に、本実施例の動作を図６のプログラムフロー図を参照しつつ説明する。本プログラムは電力量計本体１００内の制御部１０９内の図示しないプログラムメモリ内に記憶され、制御部１０９の動作を制御している。なお、図６は外部機器１５０との伝送による電力料金パターン設定にかかる部分のプログラム部分についてのみ示されている。
【００３２】
まず、制御部１０９は外部機器１５０から伝送される基本パターンが受信されたかの判断を行う（ステップ６０１）。基本パターンが受信されたと判断された場合、制御部１０９は伝送された基本パターンを記憶部１０５に記憶させる（ステップ６０２）。その後、制御部１０９はステップ６０２で記憶部１０５に記憶された基本パターンのチェックコードであるサムアップを算出する（ステップ６０３）。そして当該算出されたチェックコードであるサムアップを表示部１０７に表示させる（ステップ６０４）。
【００３３】
さらに制御部１０９はステップ６０３にて算出されたチェックコードであるサムアップが外部機器１５０から送信されたチェックコードと一致するかの判断を行い（ステップ６０５）、一致すると判断した場合は基本パターンの受信が成功した旨の表示を行い（ステップ６０６）、一致しないと判断した場合は基本パターンの受信が失敗である旨の表示を行う（ステップ６０７）。
【００３４】
次に、制御部１０９は外部機器１５０から伝送される日別パターンが受信されたかの判断を行う（ステップ６０８）。日別パターンが受信されたと判断された場合、制御部１０９は伝送された日別パターンを記憶部１０５に記憶させる（ステップ６０９）。その後、制御部１０９はステップ６０９で記憶部１０５に記憶された日別パターンのチェックコードであるサムアップを算出する（ステップ６１０）。そして当該算出されたチェックコードであるサムアップを表示部１０７に表示させる（ステップ６１１）。
【００３５】
さらに制御部１０９はステップ６１０にて算出されたチェックコードであるサムアップが外部機器１５０から送信されたチェックコードと一致するかの判断を行い（ステップ６１２）、一致すると判断した場合は日別パターンの受信が成功した旨の表示を行い（ステップ６１３）、一致しないと判断した場合は日別パターンの受信が失敗である旨の表示を行う（ステップ６１４）。
【００３６】
操作者は表示部１０７に表示された制御部１０９により算出された基本パターンのチェックコードであるサムアップと、外部機器１５０の表示部１５２に表示された基本パターンのチェックコードとを目視することにより両者が合致するか確認を行うことができるとともに、ステップ６０６またはステップ６０７にて表示部１０７に表示される基本パターンの受信の成功・失敗の表示により、基本パターンの受信の成功・失敗を判断することができ便利である。
【００３７】
操作者は表示部１０７に表示された制御部１０９により算出された日別パターンのチェックコードであるサムアップと、外部機器１５０の表示部１５２に表示された日別パターンのチェックコードとを目視することにより両者が合致するか確認を行うことができるとともに、ステップ６１３またはステップ６１４にて表示部１０７に表示される日別パターンの受信の成功・失敗の表示により、日別パターンの受信の成功・失敗を判断することができ便利である。
【００３８】
また、本実施例とは別に、基本パターンと日別パターンを組み合わせたパターンを予め決められた種類のみ用意しておき、当該組み合わせられたパターンを「契約番号」とし、当該「契約番号」を表示させることにより、電力量計本体に基本パターンならびに日別パターンが正確に設定されたか確認できるようにする方法も考えられる。しかしこのように予め決められた基本パターンと日別パターンを組み合わせたパターンを用意した場合、需要家の要望に応じ、日別パターンをフレキシブルに変更できないという問題点が発生する。
【００３９】
しかし本実施例を用いれば、需要家の要望に応じ、日別パターンをフレキシブルに変更することができる。
【００４０】
本実施例を用いれば、電力料金メニューが正しく設定されていることを簡易的に確認することが可能な電力量計を提供することができる。
【００４１】
操作者は表示部１０７に表示された制御部１０９により算出された基本パターンのチェックコードであるサムアップと、外部機器１５０の表示部１５２に表示された基本パターンのチェックコードとを目視することにより両者が合致するか確認を行うことができるとともに、表示部１０７に表示される基本パターンの受信の成功・失敗の表示により、基本パターンの受信の成功・失敗を判断することができる。
【００４２】
操作者は表示部１０７に表示された制御部１０９により算出された日別パターンのチェックコードであるサムアップと、外部機器１５０の表示部１５２に表示された日別パターンのチェックコードとを目視することにより両者が合致するか確認を行うことができるとともに、表示部１０７に表示される日別パターンの受信の成功・失敗の表示により、日別パターンの受信の成功・失敗を判断することができる。
【００４３】
以上のように本発明を用いれば、電力料金メニューが正しく設定されていることを簡易的に確認することが可能な電力量計を提供することができる。
【図面の簡単な説明】
【００４４】
【図１】本発明による電力量計の実施例１の構成を示す内部構成図
【図２】本発明による電力量計の実施例１の使用態様を示す図
【図３】外部機器の構成を示す内部構成図
【図４】伝送される電力量金区分換算表の基本パターンのデータ内容を示す図
【図５】伝送される電力量金区分換算表の日別パターンのデータ内容を示す図
【図６】本発明による実施例１のプログラムを示すプログラムフロー図
【符号の説明】
【００４５】
１００    電力量計本体
１０１    端子部
１０２ａ  電流検出部
１０２ｂ  電流検出部
１０３    電圧検出部
１０４    電力乗算部
１０５    記憶部
１０６    タイマ部
１０７    表示部
１０８    通信部
１０９    制御部
１５０    外部機器
１５１    操作部
１５２    表示部
１５３    記憶部
１５４    通信部
１５５    制御部
【図１】
2009156811.tif 000003
【図２】
2009156811.tif 000004
【図３】
2009156811.tif 000005
【図４】
2009156811.tif 000006
【図５】
2009156811.tif 000007
【図６】
2009156811.tif 000008